(57)【要約】　　　（修正有）【課題】紐状の首飾りの両端を揃えて重ね合わせた任意の途中で前記首飾りに止めることが可能な紐状首飾りの止め金具を提供する。【解決手段】ネックレスやループタイ等の金属製紐状首飾りの双方の端部を挿通して、該紐状首飾りの前記端部からループ部分までの途中の任意な個所で止め得るようにするために、枠体１を二分する桟２を前記枠体と一体に形成した金具本体３に、前記桟と枠体の中央部で直行する線が前記枠体と交差する一方個所に前記枠体より若干外側に傾斜させて留めピン４を突設する。【選択図】　　図１
0003100500.tif 000002
【実用新案登録請求の範囲】
【請求項１】
　ネックレスやループタイ等の金属製紐状首飾りの双方の端部を挿通して、該紐状首飾りの前記端部からループ部分までの途中で止めることが可能な止め金具において、枠体１を二分する桟２を前記枠体１と一体に形成した金具本体３と、該金具本体１の前記桟２と枠体の中央部で直行する線ＣＬが前記枠体１と交差する一方の交差個所Ｐ１に留めピン４を前記枠体１より若干外側に傾斜させて突設したことを特徴とする紐状首飾りの止め金具。
【請求項２】
　請求項１記載の枠体１が円形であり、桟２で仕切られた金具本体３の複数の環状部Ｌ１,Ｌ２がネックレスやループタイ等の金属製紐状首飾りＮＬを挿通可能な大きさであることを特徴とする紐状首飾りの止め金具。
【請求項３】
　請求項１記載の枠体１が方形であり、桟２で仕切られた金具本体３の複数の環状部Ｌ１,Ｌ２がネックレスやループタイ等の金属製紐状首飾りＮＬを挿通可能な大きさであることを特徴とする紐状首飾りの止め金具。
【請求項４】
　請求項１記載の枠体１が菱形であり、桟２で仕切られた金具本体３の複数の環状部Ｌ１,Ｌ２がネックレスやループタイ等の金属製紐状首飾りＮＬを挿通可能な大きさであることを特徴とする紐状首飾りの止め金具。
【請求項５】
　請求項１記載の留めピン４の端部が前記ピン径の複数倍径の球体５となっていることを特徴とする請求項２,３または４記載の紐状首飾りの止め金具。
【考案の詳細な説明】
【技術分野】
【０００１】
　この考案は、金属製の組紐あるいは編み紐状のループタイやネックレスの如き首飾りの止め金具に係り、詳しくは前記紐状の首飾りの両端を揃えて重ね合わせた任意の途中で前記首飾りに止めることが可能な紐状首飾りの止め金具に関するものである。
【背景技術】
【０００２】
従来のパールネックレスはその連結体の両端に取り付けた差し込み式の止め金具が主流であり、バネの反動により切れ込みの部分が上がって止める形式のものでる。
しかし、このパールネックレスを長時間着用していると、止め金具が軽いため前方に移動し易やすく、加えて長さの調整ができないなどの問題を有していた。
このような問題を解決するために、特許文献１には、真珠の芯に設けた貫通孔を貫通するワイヤで所定数の真珠を連結し、隣接する真珠と真珠との間にクッション材を介在したパールネックレスにおいて、当該パールネックレスを平面略Ｕ状に折曲げて一方の列と他方の列における連結所望箇所に位置する部分のワイヤを露出させ、一方の列側と他方の列側の露出したワイヤ部分を止め金具で連結するように構成したものがある。
【０００３】
また、金属製のループタイやネックレス を挿通する形式の留め具は、金属製のループタイやネックレスと留め具との間の摩擦抵抗が小さいため、止め具がループタイやネックレスに対して移動して、ループタイやネックレス の低い位置に降下してしまい不体裁となり、極端な場合にはループタイやネックレスから止め具が脱落してしまうと言う問題があった。
　 このような問題を解決するために、特許文献２には、紐または鎖状の金属製ネックレスやループタイ等の金属製紐状首飾りを挿通して、該紐状首飾りの途中で止めるようにした止め具において、装飾体の裏面に固定される環と、該環内に固定される摩擦係数の大なる環体とからなる留め具を、前記装飾体に左右２列で、かつ少なくとも上下各２個づつ固定した構成の止め金具がある。　　　
【特許文献１】特開２０００−２３７１９号明細書
【特許文献２】登録第３０５３８８９号明細書
【非特許文献１】なし
【考案の開示】
【考案が解決しようとする課題】
【０００４】
　　特許文献１に記載の止め金具は、長方形のブロック体をその長さ方向の中央で二分した左右双方の上下端面中央部に窪みを形成し、これら窪みの中心にワイヤ挿通用の縦貫通孔を明け、前記ブロックの側面から前記貫通孔に至るＬ字状と逆Ｌ字状のワイヤ導入用の切り込み溝を形成したものである。
【０００５】
　パールネックレスの両端を揃えてＵ状に折曲げ、双方の端部から連結所望箇所に位置する隣接状態の真珠を互いに反対方向に引いて、一方の側と他方の側のワイヤを共に露出させ、これら一方の側と他方の側の露出したワイヤ部分を前記切り込み溝から縦貫通孔に導き入れて両ワイヤ間を連結する。
【０００６】
　しかし、連結したパール連に予めこの止め金具が入り込む余裕を設けておく必要があり特定のパールネックレスとのセット物となり共通性が無くなるとともに、位置を替えるにしてもワイヤと係合している止め金具を一旦外してからでないと位置を替えることが出きず非常に面倒であり、また取り替え時にワイヤや真珠に傷が付いたりワイヤが切れる等の問題がある。
【０００７】
　また、特許文献２に記載の止め金具は、装飾体の裏面に固定される環と、該環内に固定される摩擦係数の大なる環体とからなる留め具を、前記装飾体に左右２列で、少なくとも上下各２個づつ固定したものである。
【０００８】
　しかし、この止め金具は、紐状の首飾りの任意な位置に移動させることができるが、内部環体の細い孔に前記紐状首飾りの双方の端部を個々に挿通しなければならず取り付けが面倒であり、首飾りの形状が丸紐あるいは角紐状と前記環体の細い孔に挿入可能な形状と大きさに限られたものにしか利用できないと言う問題がある。
【課題を解決するための手段】
【０００９】
　　前記した双方の問題は、ネックレスやループタイ等の金属製紐状首飾りの双方の端部を挿通して、該紐状首飾りの前記端部からループ部分までの途中の任意な個所で止め得るようにするために、枠体を二分する桟を前記枠体と一体に形成した金具本体に、前記桟と枠体の中央部で直行する線が前記枠体と交差する一方の個所に前記枠体より若干外側に傾斜させて留めピンを突設することで全て解決することができる。
【００１０】
　また、枠体が円形であり、桟で仕切られた金具本体の複数の環状部をネックレスやループタイ等の金属製紐状首飾りが容易に挿通可能な大きさとすることが必要である。
【００１１】
　さらに、枠体が方形であり、桟で仕切られた金具本体の複数の環状部をネックレスやループタイ等の金属製紐状首飾りが容易に挿通可能な大きさとすることが必要である。
【００１２】
　さらに、枠体が菱形であり、桟で仕切られた金具本体の複数の環状部がネックレスやループタイ等の金属製紐状首飾りを挿通可能な大きさとすることが必要である。
【００１３】
　加えて、危険防止のために、留めピンの端部を前記ピン径の複数倍径の球体とする必要がある。　　
【考案の効果】
【００１４】
請求項１〜４に記載のようにこの考案の止め金具は、枠体を二分する桟を前記枠体と一体に形成した金具本体に、前記桟と枠体の中央部で直行する線が前記枠体と交差する一方の個所に前記枠体より若干外側に傾斜させて留めピンを突設し、前記枠体が円形,方形あるいは菱形であり、桟で仕切られた金具本体の複数の環状部がネックレスやループタイ等の金属製紐状首飾りを無理なく挿通可能な大きさとすることで、止め金具の位置の移動に当たっては金属製紐状首飾りから前記止め金具を外すことなく自由に移動させることができ、留めピンが金属製紐状首飾りの網目に係って使用時その位置が動くことが無いと言う効果を有する。
【００１５】
　また、請求項４に記載のように，留めピンの端部を前記ピン径の複数倍径の球体とすることで、先端で衣服や身体を傷付ける危険が無いと言う効果を有する。
【考案を実施するための最良の形態】
【００１６】
　　この考案の留め金具は、ネックレスやループタイ等の金属製紐状首飾りの双方の端部を重ねて挿通して、該紐状首飾りの前記端部からループ部分までの途中の任意な個所で止め得るようにするために、留め金具を構成する枠体を二分する桟を前記枠体と一体に形成した金具本体に、前記桟と枠の中央部で直行する線が前記枠体と交差する一方の交差個所に前記枠体より若干外側に傾斜させて先端にピン径よりも大きい球体を設けた留めピンを突設すると共に、枠体が円形や方形または菱形であり、桟で仕切られた金具本体の複数の環状部の大きさがネックレスやループタイ等の金属製紐状首飾りを重ねた状態で容易に挿通可能な大きさとすることである。　
【実施例１】
【００１７】
　　この考案の留め金具は、図１および２に示すように、留め金具Ａ１を構成する円形または図３および４に示すように方形あるいは図５および６に示すように菱形の枠体１を直径方向または幅方向あるいは稜線を二分する方向に桟２を前記枠体１と一体に形成した金具本体３に、前記桟２と枠体１の中央部で直行する線ＣＬが前記枠体１と交差する交差個所P１，Ｐ２の一方の交差個所Ｐ１に前記枠体１より若干外側に傾斜させて先端にピン径よりも大きい直径の球体５を設けた留めピン４を突設する。　　　　　　
　　枠体１は、図１や図３または図４に示すように、桟２で仕切られた金具本体３の桟２を共通とする複数の環状部L１，L２の大きさが図７または８に示すネックレスやループタイ等の金属製紐状首飾りの端部を重ね合わせた状態で容易に挿通可能な大きさとすることである。
【００１８】
　金具本体３は、ネックレスやループタイ等の金属製紐状首飾りとマッチングする色合いの金属板からプレスで枠体１と桟２とを一体に打ち抜き加工するか、または太目の金属線を曲げて枠体１を作り、桟２を前記枠体１の中央部を横断するようにこれに溶接により取り付け複数個の環状部Ｌ１,Ｌ２を形成する。
　金具本体１の裏側で、前記した交差個所Ｐ１位置に、前述したように一方の端部にピン径の複数倍の径を有する球体５を一体に取り付けた留めピン４を若干外側に傾斜させて溶接あるいはかしめにより固定した後やすり掛けやパフ研磨をして仕上げる。前記した留めピンの取り付け時の傾斜は、留めピン４がネックレスやループタイ等の金属製紐状首飾りの網目に刺さった状態が止め金具Ａ１自体の自重で維持出来るように５〜７°程度が好ましい。
【００１９】
　止め金具Ａ１は、めっきを施すか、めっきを施した後プレスで打ち抜き加工した幅広の枠体１の場合その表面には、彫金等の手法で模様を形成するか、宝石を嵌め込む等の細工を施してもよい。
【００２０】
　図７は、この考案の止め金具Ａ１を使用するネックレスやループタイ等の金属製紐状首飾りＮＬであって、金やプラチナ等の貴金属で、あるいはこれらのめっきを施した極細の線材、ボール,スネーク,ネジリあるいはプレーンタイプ等の細い鎖、金属やガラスからなるビーズ等を用いて網状,縄状あるいは組紐状に一次加工した後、これらをもって更に織りなして前記留めピンが挿通し得る程度に粗い編目１３を対をなす縁１２ａ,１２ｂ間に形成した幅狭の帯状体１１に加工したものである。
【００２１】
　使用に当たっては、図８に示すように前記帯状体１１を２つ折りし、両端部１４ａ,１４ｂを重ね合わせて、留めピン４が裏側でかつ下側に向くようにして、前記端部１４ａ,１４ｂを止め金具Ａ１の裏側から第１の環状部Ｌ１内に右方から挿入し桟２上を乗り越えるように表側から第２の環状部Ｌ２内に左方から挿入して両端部１４ａ,１４ｂ側を所定の長さ引き出す。この後、止め金具Ａ１を若干下方に下げれば、留めピン４が金属製紐状首飾りＮＬの帯状体１１の編目１３内に網を掬う（自食い込み）ように入って係止し、図９に示すように両端部１４ａ,１４ｂが遊離し、止め金具Ａ１位置より上方が輪状になる。
【００２２】
　止め金具Ａ１を金属製紐状首飾りＮＬから外したり止める位置を替える場合には、図８に示すように帯状体１１の両端部１４ａ,１４ｂを持って前記止め金具Ａを上方に引き上げれば留めピン４が金属製紐状首飾りＮＬの帯状体１１の編目１３内から抜け、位置を上方に替える場合はそのまま上方に動かし、下方に下げるか外したい場合には帯状体１１の両端部１４ａ,１４ｂを第２の環状部L２から抜き、この状態で下方に移動させるか第１の環状部L１からも帯状体１１の両端部１４ａ,１４ｂを抜き出してしまえば下方に移動させまた外すことができる。
【００２３】
　下方に位置を替える場合は、所定の位置まで下がったら、帯状体１１の両端部１４ａ,１４ｂを第２の環状部L２に再挿入し、止め金具Ａ１を下方に下げれば、留めピン４が金属製紐状首飾りＮＬの帯状体１１の編目１３内に掬う（自食い込み）ように入り係止する。
【００２４】
　金属製紐状首飾りＮＬ部分が他の材料かまたはその一部が他の材料で形成したものでも良く、帯状体１１でも緩く編んだ組紐状のものでも良い。
【産業上の利用可能性】
【００２５】
　　この考案の止め金具Ａ１は、金属または他の材料で形成した帯（リボン）状または組紐状のネックレスやループタイ等の止め金具として利用できる。
【図面の簡単な説明】
【００２６】
【図１】この考案の第一の実施形態である止め金具の斜視図。
【図２】図１のＡ−Ａ断線における断面図。
【図３】この考案の第二の実施形態である止め金具の斜視図。
【図４】図１のＢ−Ｂ断線における断面図。
【図５】この考案の第三の実施形態である止め金具の斜視図。
【図６】図１のＣ−Ｃ断線における断面図。
【図７】金属製紐状首飾りの拡大平面図。
【図８】この考案の止め金具を金属製紐状首飾りに付ける状態を示す断面図。
【図９】この考案の止め金具を金属製紐状首飾りに付ける状態を示す斜視図。
【符号の説明】
【００２７】
　Ａ１　　　　　止め金具
　ＣＬ　　　　　線
　Ｌ１，Ｌ２　　環状部
　ＮＬ　　　　　金属製紐状首飾り
　Ｐ１，Ｐ２　　交差個所
　１　　　　　　枠体
　２　　　　　　桟
　３　　　　　　金具本体
　４　　　　　　留めピン
　５　　　　　　球体
　１１　　　　　帯状体
　１２ａ,１２ｂ 縁
　１３　　　　　編目
　１４ａ，１４ｂ両端部
【図１】
0003100500.tif 000003
【図２】
0003100500.tif 000004
【図３】
0003100500.tif 000005
【図４】
0003100500.tif 000006
【図５】
0003100500.tif 000007
【図６】
0003100500.tif 000008
【図７】
0003100500.tif 000009
【図８】
0003100500.tif 000010
【図９】
0003100500.tif 000011